(57)【要約】【課題】優れた通水性を確保できる防水シート及びトンネルの防水構造を提供する。【解決手段】防水シート１１において、トンネル掘穿坑道１９の地山側に展張される表裏平坦な遮水シート１３と、遮水シート１３と略同一の面積を有して遮水シート１３の地山側の面に固定される不織布１５と、長手方向がトンネル掘穿坑道１９のトンネル内周長で設けられるとともに、幅方向が遮水シート１３のトンネル掘穿坑道１９に沿う方向の長さよりも短い長さで設けられ、遮水シート１３と不織布１５の間に挟持されてトンネル内周長に沿って連続した通水空間２１を形成する通水空間形成材１７と、を設けた。【選択図】  図２
2017101450.tif 000002
【特許請求の範囲】
【請求項１】
トンネル掘穿坑道の地山側に展張される表裏平坦な遮水シートと、
前記遮水シートと略同一の面積を有して前記遮水シートの地山側の面に固定される不織布と、
長手方向が前記トンネル掘穿坑道のトンネル内周長で設けられるとともに、幅方向が前記遮水シートの前記トンネル掘穿坑道に沿う方向の長さよりも短い長さで設けられ、前記遮水シートと前記不織布の間に挟持されて前記トンネル内周長に沿って連続した通水空間を形成する嵩上げ材と、
を具備することを特徴とする防水シート。
【請求項２】
請求項１記載の防水シートであって、
前記嵩上げ材には、熱可塑性樹脂からなり可撓性及び遮水性を有する表裏平坦な帯体が設けられ、該帯体のトンネル掘穿坑道の地山側に対向する面側に、前記通水空間が形成されることを特徴とする防水シート。
【請求項３】
請求項１記載の防水シートであって、
前記嵩上げ材は、熱可塑性樹脂からなり可撓性及び遮水性を有する表裏平坦な帯体のトンネル掘穿坑道の地山側に対向する面に、相互間が前記通水空間となる複数の凸部が一体に形成される通水空間形成材であることを特徴とする防水シート。
【請求項４】
請求項３記載の防水シートであって、
前記凸部が、複数の突起であることを特徴とする防水シート。
【請求項５】
請求項１または２記載の防水シートであって、
前記嵩上げ材が、前記長手方向に沿って設けられる少なくとも１本の長尺体であることを特徴とする防水シート。
【請求項６】
請求項１または２記載の防水シートであって、
前記嵩上げ材が、前記長手方向に沿って設けられ、前記通水空間を有する線状集合材、多孔質材または連続気泡材のいずれか１つであることを特徴とする防水シート。
【請求項７】
請求項１〜６のいずれか１つに記載の防水シートであって、
前記トンネル掘穿坑道に沿う方向に所定長で形成された複数枚の前記遮水シート及び前記不織布が、前記トンネル掘穿坑道に沿う方向で隣接端縁同士を接合して一体に形成され、
前記遮水シート及び前記不織布の接合部同士の間に前記嵩上げ材が挟持されることを特徴とする防水シート。
【請求項８】
請求項１〜７のいずれか１つに記載の防水シートを有するトンネルの防水構造であって、
一次覆工と二次覆工との間に前記防水シートが埋入され、
前記防水シートの前記一次覆工に対向する面側に、前記トンネルの少なくとも天井部から側底部までの周方向に沿う前記通水空間を形成したことを特徴とするトンネルの防水構造。
【発明の詳細な説明】
【技術分野】
【０００１】
本発明は、ＦＩＬＭ工法やＮＡＴＭ工法に用いて好適な防水シート及びトンネルの防水構造に関する。
【背景技術】
【０００２】
湧水が多いトンネルの施工現場では防水シートが用いられる（特許文献１，２等参照）。防水シートは、一般に遮水シートと不織布を積層して用いられることが多い。この防水シートは、例えばＮＡＴＭ工法やＦＩＬＭ工法に用いられる。
ＮＡＴＭ工法は、地山或いは地山にコンクリートを吹付けた後の吹付けコンクリート面に防水シートを固定し、防水シート面と所定間隔で型枠を配置し、その空間にコンクリートを打設して覆工コンクリートを構築する。
ＦＩＬＭ工法は、坑内に構築した型枠の外周表面に予め防水シートを広げて設置し、その防水シートと地山側との間に充填を行うことで、充填剤が防水シートの不織布に絡み、染み込み硬化後の充填剤の坑内側の面に防水シートが展張状態となる。
これらいずれの工法においても、防水シートを構成する不織布は、緩衝作用と通水作用とを担うこととなる。すなわち、不織布は、施工面に存在する突出部分による遮水シートの損傷を防止するための緩衝材としての機能と、通水性により地盤から漏出する水を排水する機能とを有している。
【先行技術文献】
【特許文献】
【０００３】
【特許文献１】実用新案登録第３０２５１６０号公報
【特許文献２】特開２００１−２１４６９８号公報
【発明の概要】
【発明が解決しようとする課題】
【０００４】
しかしながら、防水シートは、地山側と反対側の背面から二次覆工コンクリートを打設する際、コンクリートの圧力によって不織布が圧縮されてしまうと、本来の通水性を損なってしまう場合がある。防水シートは、不織布の通水性に問題があると、湧水量が少ない場合であっても、排水処理がうまくできず、はらみや脱落を生じる虞がある。特にＦＩＬＭ工法では、地山側と型枠の間に隙間なくセメントやモルタル等の充填剤が充填される。充填剤は、不織布との接着作用、すなわちアンカー効果を得るために、不織布に染み込み浸透する。その結果、防水シートは、不織布が硬化してしまい、施工時の緩衝作用は得られるが、硬化した不織布により水が流れにくくなる。
【０００５】
本発明は上記状況に鑑みてなされたもので、その目的は、優れた通水性を確保できる防水シート及びトンネルの防水構造を提供することにある。
【課題を解決するための手段】
【０００６】
次に、上記の課題を解決するための手段を、実施の形態に対応する図面を参照して説明する。
本発明の請求項１記載の防水シート１１は、トンネル掘穿坑道１９の地山側に展張される表裏平坦な遮水シート１３と、
前記遮水シート１３と略同一の面積を有して前記遮水シート１３の地山側の面に固定される不織布１５と、
長手方向が前記トンネル掘穿坑道１９のトンネル内周長で設けられるとともに、幅方向が前記遮水シート１３の前記トンネル掘穿坑道１９に沿う方向の長さよりも短い長さで設けられ、前記遮水シート１３と前記不織布１５の間に挟持されて前記トンネル内周長に沿って連続した通水空間２１を形成する嵩上げ材１７と、
を具備することを特徴とする。
【０００７】
この防水シート１１では、遮水シート１３の地山側に設けられる不織布１５が、地山側の凹凸に対する緩衝効果及び打設コンクリートに対するアンカー効果を有する。また、この不織布１５は、通水性を有する。通水性を有した不織布１５は、地山側からの水を、嵩上げ材１７により形成された通水空間２１へと導く。一方、不織布１５は、遮水シート１３の上から二次覆工コンクリートを打設する際、コンクリートの圧力によって圧縮され、本来の通水性を損なう場合がある。この場合においても、水は、少なからず不織布１５にしみこむ。不織布１５にしみこんだ水は、所定間隔に設けられた嵩上げ材１７により形成された通水空間２１に導水される。すなわち、不織布１５は、毛管路的に作用する。嵩上げ材１７は、コンクリートの圧力によっても潰れない強度を有する。これにより、防水シート１１は、長期に渡り確実な排水を可能にすることができる。また、防水シート１１は、嵩上げ材１７を局所的に設ければよいので、安価に製造できる。
【０００８】
本発明の請求項２記載の防水シートは、請求項１記載の防水シート１１であって、
前記嵩上げ材１７，５７，６１には、熱可塑性樹脂からなり可撓性及び遮水性を有する表裏平坦な帯体２９が設けられ、該帯体２９のトンネル掘穿坑道１９の地山側に対向する面側に、前記通水空間２１が形成されることを特徴とする。
【０００９】
この防水シートでは、帯体２９の地山側に通水空間２１が配置される。この通水空間２１は、地山側が不織布１５によって覆われる。通水空間２１の坑道１９側の面に帯体２９が配置されることで、地山側からの水は帯体２９に沿って導かれる。また、通水空間２１の坑道側の面が帯体２９にて平坦面となるので、遮水シート１３の二次覆工側の面、すなわち、防水シート施工面を平滑化できる。
【００１０】
本発明の請求項３記載の防水シート１１は、請求項１記載の防水シート１１であって、
前記嵩上げ材は、熱可塑性樹脂からなり可撓性及び遮水性を有する表裏平坦な帯体２９のトンネル掘穿坑道１９の地山側に対向する面に、相互間が前記通水空間２１となる複数の凸部３１が一体に形成される通水空間形成材１７であることを特徴とする。
【００１１】
この防水シート１１では、通水空間形成材１７の地山側に通水空間２１が配置される。この通水空間２１は、地山側が不織布１５によって覆われる。一次覆工内面など地山側から流入する遊離石灰は、不織布１５によって補足され、通水空間２１への侵入が抑制される。これにより、通水空間２１は、長期間に渡り目詰まりが抑制される。また、通水空間形成材１７は、坑道側の面が帯体２９にて平坦面となるので、遮水シート１３の二次覆工側の面、すなわち、防水シート施工面を平滑化できる。
【００１２】
本発明の請求項４記載の防水シート１１は、請求項３記載の防水シート１１であって、
前記凸部が、複数の突起５３であることを特徴とする。
【００１３】
この防水シート１１では、凸部が、例えば非連続な島状となる複数の突起５３となることで、連続形成のリブ形状等である場合に比べ、潰れたり倒れにくくなる。また、突起５３は、トンネル内周方向に連続するリブ形状等に比べ、水を縦横に通水可能とするので、排水性を高めることができる。
【００１４】
本発明の請求項５記載の防水シート５５は、請求項１または２記載の防水シート１１であって、
前記嵩上げ材が、前記長手方向に沿って設けられる少なくとも１本の長尺体５７であることを特徴とする。
【００１５】
この防水シート５５では、例えば棒状やレール状の長尺体５７が、トンネル内周に沿って、遮水シート１３と不織布１５との間に設けられる。長尺体５７は、少なくとも１本でよい。長尺体５７によって、遮水シート１３と不織布１５との間には、長尺体５７を挟む両側に隙間が形成される。この隙間が、通水空間２１となる。長尺体５７は、別部材を遮水シート１３に溶着や接着することができる。また、長尺体５７は、遮水シート１３の製造工程において、遮水シート１３を押し出し成形する口金形状を変えることにより遮水シート１３と一体成形することも可能となる。
【００１６】
本発明の請求項６記載の防水シート５９は、請求項１または２記載の防水シート１１であって、
前記嵩上げ材が、前記長手方向に沿って設けられ、前記通水空間２１を有する線状集合材６１、多孔質材または連続気泡材のいずれか１つであることを特徴とする。
【００１７】
この防水シート５９では、遮水シート１３と不織布１５の間に、線状集合材６１、多孔質材または連続気泡材のいずれか１つが、トンネル内周に沿って設けられる。線状集合材６１、多孔質材または連続気泡材は、外周が遮水シート１３と不織布１５により包囲されてもよい。水は、不織布１５にしみこんで線状集合材６１、多孔質材または連続気泡材に到達すると、これらが有する通水空間２１によってトンネル２７の側底部２５へと導水される。
【００１８】
本発明の請求項７記載の防水シート１１は、請求項１〜６のいずれか１つに記載の防水シート１１であって、
前記トンネル掘穿坑道１９に沿う方向に所定長で形成された複数枚の前記遮水シート１３及び前記不織布１５が、前記トンネル掘穿坑道１９に沿う方向で隣接端縁同士を接合して一体に形成され、
前記遮水シート１３及び前記不織布１５の接合部同士の間に前記嵩上げ材１７が挟持されることを特徴とする。
【００１９】
この防水シート１１では、短幅の不織布１５及び遮水シート１３が複数枚接合されて広幅の防水シート１１が形成される。例えば６ｍもの広幅シートを均一の厚さに製造することは困難であるためである。防水シート１１は、６ｍ以上の広幅となることで、例えばＦＩＬＭ工法において防水シート施工面の平滑化や作業効率を向上させることができる。防水シート１１は、このような広幅となる場合においても、短幅の遮水シート１３及び不織布１５の接合部同士の間に所定間隔で嵩上げ材１７を設けることができ、安定した通水性能を確保することができる。
【００２０】
本発明の請求項８記載のトンネル２７の防水構造は、請求項１〜７のいずれか１つに記載の防水シート１１を有するトンネル２７の防水構造であって、
一次覆工３３と二次覆工３５との間に前記防水シート１１が埋入され、
前記防水シート１１の前記一次覆工３３に対向する面側に、前記トンネル２７の少なくとも天井部２３から側底部２５までの周方向に沿う前記通水空間２１を形成したことを特徴とする。
【００２１】
このトンネル２７の防水構造では、地山側に防水シート１１を展張することにより、遮水シート１３の地山側に通水空間２１が同時に形成される。すなわち、このトンネル２７の防水構造では、防水シート１１を施工する前に、地山表面の全面にシート状排水材を施工しておくなどの工程が必要なく、工事の手間を省くことができる。また、防水シート１１は、特にＦＩＬＭ工法においては、不織布１５が打設コンクリートに埋入され、アンカー効果を有する。このため、トンネル２７の防水構造は、防水シート１１の浮き上がりや剥離を防止して、平滑化された防水シート施工面を得ることができ、そして、通水空間２１にて側底部２５への排水が行われる。
【発明の効果】
【００２２】
本発明に係る請求項１記載の防水シートによれば、嵩上げ材により形成される通水空間によって優れた通水性を確保できる。
【００２３】
本発明に係る請求項２記載の防水シートによれば、帯体によって通水空間を通る地山側からの水を、この帯体に沿わせて排水することができる。また、帯体を遮水シートへ固定させることで、地山側に通水空間を配置することができる。
【００２４】
本発明に係る請求項３記載の防水シートによれば、帯体によって坑道側の面が平滑化でき、二次覆工の施工品質を向上させることができる。
【００２５】
本発明に係る請求項４記載の防水シートによれば、凸部の圧縮強度を高くすることができる。
【００２６】
本発明に係る請求項５記載の防水シートによれば、簡素な構造で、安価に通水性を確保することができる。
【００２７】
本発明に係る請求項６記載の防水シートによれば、通水空間に不織布を侵入させずに、確実に通水空間を確保することができる。
【００２８】
本発明に係る請求項７記載の防水シートによれば、短幅の遮水シート及び不織布を接合して広幅とした防水シートを用いるトンネルの防水構造において、短幅の遮水シート及び不織布の接合部同士の間に、嵩上げ材を等間隔で設けることができる。
【００２９】
本発明に係る請求項８記載のトンネルの防水構造によれば、嵩上げ材により排水機能を確実に且つ長期に確保できるとともに、二次覆工の施工品質を向上させることができ、しかも、嵩上げ材が局所的に設けられているので、安価にトンネルを構築できる。
【図面の簡単な説明】
【００３０】
【図１】本発明の実施形態に係る防水シートを備えたトンネルの概略斜視図である。
【図２】図１に示した防水シートにおける嵩上げ材の長手方向に直交する方向の断面図である。
【図３】（ａ）は複数継ぎされて広幅に形成された防水シートの平断面図、（ｂ）は（ａ）のＡ部拡大図である。
【図４】防水シートを用いたＮＡＴＭ工法の施工例を説明する平断面図である。
【図５】防水シートを用いたＦＩＬＭ工法の施工例を説明する平断面図である。
【図６】遮水シートの幅方向中央部分に嵩上げ材が設けられた変形例に係る防水シートの嵩上げ材の長手方向に直交する方向の断面図である。
【図７】遮水シートの幅方向に複数の嵩上げ材が設けられた変形例に係る防水シートの嵩上げ材の長手方向に直交する方向の断面図である。
【図８】凸部が断面三角形の突条である嵩上げ材の斜視図である。
【図９】凸部が断面半円形の突条である変形例に係る嵩上げ材の斜視図である。
【図１０】（ａ）は突条が断続形成された変形例に係る嵩上げ材の斜視図、（ｂ）は凸部が複数の半球状の突起である変形例に係る嵩上げ材の斜視図である。
【図１１】嵩上げ材が長尺体である変形例に係る防水シートの斜視図である。
【図１２】嵩上げ材が線状集合材である変形例に係る防水シートの線状集合材の長手方向に直交する方向の断面図である。
【発明を実施するための形態】
【００３１】
以下、本発明に係る実施形態を図面を参照して説明する。
図１は本発明の実施形態に係る防水シートを備えたトンネルの概略斜視図である。
本実施形態に係る防水シート１１は、遮水シート１３と、不織布１５と、嵩上げ材、例えば後述の通水空間形成材１７と、を有する。遮水シート１３は、所定の長さ、すなわちトンネル内周に沿う長さ、及び幅長、すなわち坑道に沿う方向の長さを有し、トンネル掘穿坑道１９の地山側に展張される。遮水シート１３は、表裏平坦な面で形成される。遮水シート１３は、例えばＥＶＡ（エチレン酢酸ビニル共重合体）からなる。遮水シート１３は、例えば厚さが０．８ｍｍ以上（ＪＩＳ  Ａ  ６００８準拠）で形成される。
【００３２】
不織布１５は、遮水シート１３と略同一の面積を有し、遮水シート１３の地山側の面に固定される。固定は、溶着または接着によって行われる。不織布１５は、厚さが３ｍｍ以上（ＪＩＳ  Ｌ  １０９６）で形成される。不織布１５は、例えばポリエステル、ポリアマイド、ポリプロピレン等の有機合成繊維フィラメントを堆積させて得る。不織布１５は、いわゆるスパンボンド法により多数個のオリフィスを有する紡糸ノズルからスダレ状に紡糸された多数本のフィラメントをエアージェット等で索引細化延伸し、下方に吹きつけ、このフィラメントを下方で水平移動する金網コンベアーの面上に所定の目付で堆積させてウエップとして得ることができる。但し、この場合、不織布１５は、遊離石灰の補足性を高めるために、目付が、２０〜１５０ｇ／ｍ2 の範囲であることが好ましく、さらに好ましくは、３０〜８０ｇ／ｍ2 の範囲であることが望ましい。不織布１５の目付が２０ｇ／ｍ2 より小さいと、遊離石灰が浸み込みやすくなり、目付が１５０ｇ／ｍ2 より大きいと、後述の通水空間への透水性が低下する。
【００３３】
遮水シート１３及び不織布１５は、トンネル掘穿坑道１９の内周の長さを有し、幅方向（坑道に沿う方向）に複数枚のものが接合されて一体に形成される。本実施形態では、後述するように幅方向に３枚が接合、すなわち３枚継ぎとされて、所定の幅長、例えば約６ｍの幅広のものとなる。防水シート１１は、幅広のものが、坑道に沿う方向に連結部分で接合されて行く。
【００３４】
本実施形態において、嵩上げ材は、通水空間形成材１７となる。通水空間形成材１７は、遮水シート１３と不織布１５の間に挟持されてトンネル内周長に沿って連続した通水空間２１（図２参照）を形成する。通水空間形成材１７は、長手方向がトンネル掘穿坑道１９の周方向における少なくとも天井部２３から側底部２５までの長さを連続して有する。通水空間形成材１７は、上記の倍の長さ、すなわち、トンネル内周長を有するものであっても勿論よい。また、通水空間形成材１７は、天井部２３から側底部近傍までの任意の位置から側底部２５までの長さを有するものとしてもよい。本実施形態において、通水空間形成材１７は、長手方向がトンネル内周長で設けられる。通水空間形成材１７は、幅方向が遮水シート１３のトンネル掘穿坑道１９に沿う方向の長さよりも短い長さで設けられる。すなわち、防水シート１１は、通水空間形成材１７が、トンネル掘穿坑の内周を全長として、トンネル２７の延在方向に所定の間隔を有して配設される。
【００３５】
図２は図１に示した防水シートにおける嵩上げ材の長手方向に直交する方向の断面図である。
通水空間形成材１７は、帯体２９を有する。帯体２９は、熱可塑性樹脂からなり可撓性及び遮水性を有する。帯体２９は、表裏が平坦面である一方、トンネル掘穿坑道１９の地山側に対向する面に、複数の凸部が一体に形成される。つまり、帯体２９を構成要素に持った通水空間形成材１７は、トンネル掘穿坑道１９の地山側に対向する面が凸部により凹凸面となる。本実施形態において、凸部は、突条３１となる。突条３１は、帯体２９の長手方向に沿って延在し、長手方向に直交する方向（帯幅方向）に複数のものが平行に一体成形される。突条３１は、延在方向に直交する断面形状が例えば三角形に形成される。なお、この突条３１の断面形状は、その他の形状、例えば矩形や台形、或いはリブ状に形成されてもよい。通水空間形成材１７は、突条３１の相互間が通水空間２１となる。従って、トンネル掘穿坑道１９の天井部２３から通水空間形成材１７に流下した水は、突条３１同士の間の通水空間２１に導かれて側底部２５へと排水される。つまり、通水空間形成材１７は、樋としての作用を有する。
【００３６】
なお、通水空間形成材１７は、遮水シート１３の約２０００ｍｍの幅長に対し、６００〜１３００ｍｍ程度が好適となる。突条３１の高さは、１〜３０ｍｍが好適となる。通水空間形成材１７の通水部分は、帯体２９に対する面積割合で２０〜８０％とすることが好ましい。また、通水空間形成材１７の通水部分は、全体幅に対する割合を５〜８０％とすることが好ましい。
【００３７】
通水空間形成材１７は、帯体２９が、遮水シート１３に溶着または接着によって固定される。また、通水空間形成材１７は、突条３１の先端に、不織布１５が固定される。不織布１５と通水空間形成材１７との固定は、溶着や接着等によって行われる。不織布１５は、通水性を有して通水空間２１を覆う。
【００３８】
不織布１５は、水を通すが、地山側である一次覆工内面から流れ出る遊離石灰等を効果的に補足する。不織布１５には、例えば多孔質材が代用されてもよい。また、不織布１５には、いわゆる麺塊構造を有する後述の線材集合材が代用されてもよい。また、不織布１５には、ウレタンスポンジ等の連続気泡のスポンジ等が代用されてもよい。
【００３９】
本実施形態に係るトンネル２７の防水構造は、一次覆工３３と二次覆工３５との間に防水シート１１が埋入される。防水シート１１と地山（または一次覆工３３）との間には、充填剤３７が充填される。充填剤３７には、凝固剤が混入される。凝固剤は、合成樹脂系、ボンド系、セメント系等の各種接着剤である。防水シート１１は、充填剤３７がしみこむ不織布１５がアンカー効果を有し、充填剤３７に固定される。これにより、トンネル２７の防水構造は、防水シート１１の一次覆工３３に対向する面側に、トンネル２７の少なくとも天井部２３から側底部２５までの周方向に沿う連続した通水空間２１を形成する。
【００４０】
図３（ａ）は複数継ぎされて広幅に形成された防水シートの平断面図、（ｂ）は（ａ）のＡ部拡大図である。
防水シート１１は、トンネル掘穿坑道１９に沿う方向に所定長で形成された複数枚の遮水シート１３及び不織布１５が、トンネル掘穿坑道１９に沿う方向で隣接端縁同士を接合して一体に形成される。本実施形態では、約２ｍの短幅で形成された遮水シート１３及び不織布１５が、幅方向に３枚接合、すなわち３枚継ぎとされて広幅（約６ｍ）の防水シート１１を形成する。通水空間形成材１７は、これら遮水シート１３及び不織布１５の接合部同士の間に挟持される。
【００４１】
ＦＩＬＭ工法においては、作業効率の向上や、仕上がりの平滑性のために、防水シート１１の構造として、約２ｍの短幅のシートを幅方向に３枚繋いで約６ｍの広幅長のシートを用いている。その製作過程で、継目の部分に通水空間形成材１７を配置固定する。従って、約６ｍ幅の防水シート１１に２つの排水構造が、施工現場搬入以前に設けられることになる。
【００４２】
また、トンネル施工時には、約６ｍ幅の防水シート１１を展張する際、前工程の防水シート１１の後端と次に展張される防水シート１１の前端とを溶着接続する。この際に、不織布１５は不織布同士で、遮水シート１３は遮水シート同士で、溶着や接着で接続される。このとき、遮水シート１３と不織布１５の間に通水空間形成材１７を配置し、溶着や接着にて固定してから、各部を接続固定する。これにより、約２ｍの間隔で通水空間形成材１７を配置することができる。
【００４３】
なお、短幅の防水シート１１及びの継ぎ数は、これに限定されるものではなく、２枚継ぎであってもよく、３枚以上の４枚継ぎや５枚継ぎ以上の複数継ぎであってもよい。
【００４４】
次に、防水シート１１を用いたトンネル２７の防水構造における施工方法の例を説明する。
図４は防水シートを用いたＮＡＴＭ工法の施工例を説明する平断面図である。
トンネル２７の防水構造は、トンネル２７の地山表面から一次覆工３３、充填剤３７、防水シート１１及び二次覆工３５が順次設けられる。ロックボルト・吹付けコンクリートトンネル工法、いわゆるＮＡＴＭ工法では、ロックボルトを介して地山に吹付け施工した一次覆工３３と、トンネル２７の内周面となる二次覆工３５との間に、防水シート１１を介在させる。防水シート１１を展張する際、前工程の防水シート１１の後端と次に展張される防水シート１１の前端とにおいて、先ず、不織布１５同士を重ね合わせ、コンクリート釘３９等を用いて一次覆工３３に固定する。
【００４５】
次いで、前工程の遮水シート１３の後端に通水空間形成材１７を溶着や接着によって固定する。通水空間形成材１７の固定された前工程の遮水シート１３の通水空間形成材１７と反対面に次工程の遮水シート１３の前端を溶着や接着により接続する。その結果、通水空間形成材１７は、約２ｍの間隔で配置されることになる。これにより、一次覆工側からの湧水等が二次覆工側に漏れ出ることを防止する。
【００４６】
図５は防水シートを用いたＦＩＬＭ工法の施工例を説明する平断面図である。
ＦＩＬＭ工法では、トンネル掘穿坑道１９の内周面に沿った型枠４１を備えた型枠台車を、トンネル掘穿坑道１９に沿って移動させ、防水シート１１を順次トンネル内周面に展張して行く。先ず、型枠台車上に防水シート１１を設置する。充填剤３７のリークを防止するため、トンネル内周方向に充填剤封止部材（エアバルク）を設置する。次いで、地山側と防水シート１１との間に充填剤３７を充填する。充填剤３７の養生後、型枠４１を脱型することにより生じたエアバルクによる空隙は、通水空間形成材１７の設置施工空間に利用することができる。
【００４７】
型枠台車は、前工程の防水シート１１の展張を終えた後、次工程の位置まで移動される。型枠台車には、次工程の防水シート１１が設置される。
次いで、前工程の不織布１５の後端に次工程の不織布１５の前端を溶着や接着により固定する。前工程の遮水シート１３の後端に通水空間形成材１７を溶着や接着によって固定する。通水空間形成材１７の固定された前工程の遮水シート１３の通水空間形成材１７と反対面に次工程の遮水シート１３の前端を溶着や接着により接続する。再び次工程の防水シート１１の前端をエアバルクにより塞ぐ。以下同様に、地山側と防水シート１１との間に充填剤３７を充填し、トンネル内周面に防水シート１１を展張して行く。その結果、通水空間形成材１７は、工程ごとの接続部分の間隔で配置されることになる。これにより、一次覆工側からの湧水等が二次覆工側に漏れ出ることを防止し、その湧水を側底部２５へ排水できる。
【００４８】
図６は遮水シートの幅方向中央部分に嵩上げ材が設けられた変形例に係る防水シートの嵩上げ材の長手方向に直交する方向の断面図である。
防水シート１１は、短幅のシートの幅方向中央に、通水空間形成材１７を設けてもよい。この場合、例えば上記した３枚の短幅のシートを接合してなる防水シート１１の例では、２箇所の接合部、すなわち隣り合う短幅のシートの接合部に２つの通水空間形成材１７と、それぞれの短幅のシートの中央部に設けた３つの通水空間形成材１７との合計５つの通水空間形成材１７を備えることができる。また、接合部には通水空間形成材１７を設けずに、それぞれの中央部分に通水空間形成材１７を備えた防水シート１１として構成でき、この場合には接合部における通水空間形成材１７の固定工程を省略できる。
【００４９】
図７は遮水シートの幅方向に複数の嵩上げ材が設けられた変形例に係る防水シートの嵩上げ材の長手方向に直交する方向の断面図である。
防水シート１１は、短幅のシートの幅方向に、複数（図例では２つ）の通水空間形成材１７を設けてもよい。この場合、上記した３枚の短幅のシートを接合してなる防水シート１１の例では、２箇所の接合部に２つの通水空間形成材１７と、それぞれのシートの中央部に設けた６つの通水空間形成材１７との合計８つの通水空間形成材１７を備えることになる。このように、防水シート１１は、通水空間形成材１７を多数備えることで、特に湧水が多い山岳トンネルの現場においても優れた排水機能を発揮する。
【００５０】
次に、上記した構成の作用を説明する。
本実施形態に係る防水シート１１では、遮水シート１３の地山側に設けられる不織布１５が、地山側の凹凸に対する緩衝効果及び打設コンクリートに対するアンカー効果を有する。また、不織布１５は、通水性を有する。通水性を有した不織布１５は、地山側からの水を、通水空間形成材１７により形成された通水空間２１へと導く。一方、不織布１５は、遮水シート１３の上から二次覆工コンクリートを打設する際、コンクリートの圧力によって圧縮され、本来の通水性を損なう場合がある。この場合においても、水は、少なからず不織布１５にしみこみ、完全に通水性を失うことはない。不織布１５にしみこんだ水は、所定間隔に設けられた通水空間形成材１７により形成された通水空間２１に導水される。すなわち、不織布１５は、毛管路的に作用する。通水空間形成材１７は、コンクリートの圧力によっても潰れない強度を有する。これにより、防水シート１１は、長期に渡り確実な排水を可能にすることができる。また、防水シート１１は、通水空間形成材１７を局所的に設ければよいので、安価に製造できる。
【００５１】
また、防水シート１１では、通水空間形成材１７の地山側に通水空間２１が配置される。この通水空間２１は、地山側が不織布１５によって覆われる。一次覆工内面から流入する遊離石灰は、不織布１５によって補足され、通水空間２１への侵入が抑制される。このため、通水空間２１は、長期間に渡り目詰まりが抑制される。また、通水空間形成材１７は、坑道側の面が平坦面となるので、遮水シート１３の二次覆工側の面、すなわち、防水シート施工面を平滑化できる。その結果、帯体２９によって坑道側の面が平滑化でき、二次覆工３５の施工品質を向上させることができる。
【００５２】
また、防水シート１１では、短幅の不織布１５及び遮水シート１３が複数枚接合されて広幅の防水シート１１が形成される。約６ｍもの広幅シートを均一の厚さに製造することは困難であるためである。防水シート１１は、６ｍ以上の広幅となることで、例えばＦＩＬＭ工法において防水シート施工面の平滑化や作業効率を向上させることができる。防水シート１１は、このような広幅となる場合においても、短幅の遮水シート１３及び不織布１５の接合部同士の間に所定間隔で通水空間形成材１７を設けることができ、安定した通水性能を確保することができる。その結果、短幅の遮水シート１３及び不織布１５を接合して広幅とした防水シート１１を用いるトンネル２７の防水構造において、短幅の遮水シート１３及び不織布１５の接合部同士の間に、通水空間形成材１７を等間隔で設けることができる。
【００５３】
トンネル２７の防水構造は、地山側に防水シート１１を展張することにより、遮水シート１３の地山側に通水空間２１が同時に形成される。すなわち、このトンネル２７の防水構造では、防水シート１１を施工する前に、地山表面の全面にシート状排水材を施工しておく必要がなく、工事の手間を省くことができる。また、防水シート１１は、特にＦＩＬＭ工法において、不織布１５が打設コンクリートに埋入され、アンカー効果を有する。このため、トンネル２７の防水構造は、防水シート１１の浮き上がりや剥離を防止して、平滑化された高品質な防水シート施工面を得ることができる。
【００５４】
図８は凸部が断面三角形の突条である嵩上げ材の斜視図である。
上記構成の突条３１は、図８に示すように、延在方向に直交する断面形状が例えば三角形に形成される。突条３１は、断面三角形で形成されることにより、高い圧縮強度を有し、耐久性が高められている。
【００５５】
次に、上記構成の変形例を説明する。
図９は凸部が断面半円形の突条である変形例に係る嵩上げ材の斜視図である。
凸部のその他の形状として、図９に示すように、通水空間形成材４３の凸部は、延在方向に直交する断面形状が半円形の突条４５であってもよい。
この突条４５によれば、断面三角形のものに比べ、不織布１５との固定面積を大きくすることができる。また、突条４５は、断面三角形のものに比べ、圧縮強度をさらに高めることができる。また、突条４５は、断面三角形のものに比べ、トンネル内周に沿う方向の曲げを容易にすることもできる。
【００５６】
図１０（ａ）は突条が断続形成された変形例に係る嵩上げ材の斜視図、（ｂ）は凸部が複数の半球状の突起である変形例に係る嵩上げ材の斜視図である。
図１０（ａ）に示すように、通水空間形成材４７の凸部は、断続する突条４９であってもよい。すなわち、突条４９は、連続して形成されなくてもよい。
この突条４９によれば、通水空間２１が帯幅方向にも形成されることとなって帯幅方向の通水も可能となり、排水効果を高め、より目詰まりを生じにくくすることができる。また、通水空間形成材４７は、地山表面の曲面に沿わして湾曲しやすくでき、施工性を向上させることができる。  
【００５７】
また、図１０（ｂ）に示すように、通水空間形成材５１の凸部は、複数の突起５３であってもよい。
この通水空間形成材５１では、凸部が、非連続な島状の突起５３となることで、連続形成されたリブ形状等である場合に比べ、潰れたり倒れにくくなる。その結果、凸部の圧縮強度をさらに高くすることができる。また、突起５３は、トンネル内周方向に連続するリブ形状等に比べ、幅方向にも通水空間２１を有することとなって水を縦横に通水可能とするので、排水性を高めることができる。また、通水空間形成材５１は、地山表面の曲面に沿わして湾曲しやすくでき、施工性を向上させることもできる。
【００５８】
図１１は嵩上げ材が長尺体である変形例に係る防水シートの斜視図である。
防水シート５５は、嵩上げ材が、長手方向に沿って設けられる少なくとも１本のレール状の長尺体５７であってもよい。長尺体５７は、例えば長手方向に直交する方向の断面形状が四角形に形成される。この他、長尺体５７の断面形状は、三角形や半円形であってもよい。長尺体５７は、底面が遮水シート１３に溶着または接着により固定される。長尺体５７は、２本以上設けられることが好ましい。防水シート５５は、２本の長尺体５７の上端に張架された不織布１５により断面四角形の通水空間２１が形成される。
【００５９】
この防水シート５５では、例えば長尺体５７が１本の場合、遮水シート１３と不織布１５との間には、長尺体５７を挟む両側に隙間が形成される。この隙間が、通水空間２１となる。長尺体５７は、上記のように、２本以上設けられることが好ましい。これにより、遮水シート１３、不織布１５及び長尺体５７に包囲された断面四角形の通水空間２１が形成される。長尺体５７は、別部材を遮水シート１３に溶着や接着することができる。また、長尺体５７は、遮水シート１３の製造工程において、遮水シート１３を押し出し成形する口金形状を変えることにより遮水シート１３と一体成形することも可能となる。その結果、簡素な構造で、安価に通水性を確保することができる。なお、この長尺体５７は、例えば複数で構成される際に、これら長尺体５７を、上記した帯体２９のような熱可塑性樹脂からなり可撓性及び遮水性を有する表裏平坦な帯体の一方の面に接着等により固定して一体的に配置構成させることができる。
【００６０】
図１２は嵩上げ材が線状集合材である変形例に係る防水シートの線状集合材の長手方向に直交する方向の断面図である。
防水シート５９は、嵩上げ材が、長手方向に沿って設けられ通水空間２１を有する線状集合材６１、多孔質材（図示略）または連続気泡材（図示略）のいずれか１つであってもよい。これら線状集合材６１、多孔質材または連続気泡は、通水性が良好で、且つ圧縮強度、耐久性を有し、接着材等の固定手段で遮水シート１３及び不織布１５と一体化される。線状集合材６１を構成する線材の材質は、植物繊維、ガラス繊維、合成繊維、金属等を用いることができる。なお、この線状集合材６１、多孔質材または連続気泡材は、上記した帯体２９のような熱可塑性樹脂からなり可撓性及び遮水性を有する表裏平坦な帯体の一方の面に接着等により固定する構成としてもよい。
【００６１】
この防水シート５９では、遮水シート１３と不織布１５の間に、麺塊構造を有する線状集合材６１、多孔質材または連続気泡材のいずれか１つが、トンネル内周に沿って設けられる。線状集合材６１、多孔質材または連続気泡材は、外周が遮水シート１３と不織布１５により包囲されてもよい。水は、不織布１５にしみこんで線状集合材６１、多孔質材または連続気泡材に到達すると、これらが有する通水空間２１によってトンネル２７の側底部２５へと導水される。その結果、通水空間２１に不織布１５を侵入させずに、確実に通水空間２１を確保することができる。
【００６２】
なお、防水シート１１は、嵩上げ材を挟んで遮水シート１３の反対側に、異なる目付の不織布１５を二層に設けるものであってもよい。つまり、不織布１５を２枚構成とする。この場合、嵩上げ材に固定される下層の不織布１５の目付を大きくし（２０〜１５０ｇ／ｍ2 ）、表面側となる上層の不織布１５の目付を小さくする（２０ｇ／ｍ2 以下）。これにより、上層の不織布１５により確実にアンカー効果を得ながら、下層の不織布１５により遊離石灰の補足性を高めることができる。
【００６３】
従って、本実施形態に係る防水シート１１，５５，５９によれば、優れた通水性を確保できる。
【００６４】
本実施形態に係るトンネル２７の防水構造によれば、嵩上げ材としての通水空間形成材１７，４３，４７，５１、長尺体５７、線状集合材６１により排水機能を確実に且つ長期に確保できるとともに、二次覆工３５の施工品質を向上させることができ、しかも、嵩上げ材が局所的に設けられているので、安価にトンネル２７を構築できる。
【符号の説明】
【００６５】
１１，５５，５９…防水シート
１３…遮水シート
１５…不織布
１７…嵩上げ材（通水空間形成材）
１９…トンネル掘穿坑道
２１…通水空間
２３…天井部
２５…側底部
２７…トンネル
２９…帯体
３１，４５，４９…凸部（突条）
３３…一次覆工
３５…二次覆工
４３，４７，５１…嵩上げ材（通水空間形成材）
５３…突起（凸部）
５７…嵩上げ材（長尺体）
６１…嵩上げ材（線状集合材）
【図１】
2017101450.tif 000003
【図２】
2017101450.tif 000004
【図３】
2017101450.tif 000005
【図４】
2017101450.tif 000006
【図５】
2017101450.tif 000007
【図６】
2017101450.tif 000008
【図７】
2017101450.tif 000009
【図８】
2017101450.tif 000010
【図９】
2017101450.tif 000011
【図１０】
2017101450.tif 000012
【図１１】
2017101450.tif 000013
【図１２】
2017101450.tif 000014